(57)【要約】【課題】顧客ごとに最適な商品についての広告コンテンツを提供して、効率的な販売促進を行えるようにする。【解決手段】２以上の商品コードで構成された商品コード集合と広告コンテンツとを対応付けて記憶する広告ファイル３６１を検索して、商品コードの取得の終了の宣言がなされるまでに取得した商品コードを所定数以上含む商品コード集合に対応付けられた広告コンテンツを取得して、取得した広告コンテンツを客用表示部３１４に表示するようにした。【選択図】図４
2008065625.tif 000002
【特許請求の範囲】
【請求項１】
客用表示部と、
商品を特定する商品コードを読み取る読取部と、
前記読取部による商品コードの読み取りを許容して読み取った商品コードを取得する手段と、
商品コードと商品価格とを対応付けて記憶する商品データファイルを検索し、前記取得した商品コードに対応付けられた商品価格を取得する手段と、
商品コードの取得の終了を宣言する手段と、
前記宣言がなされるまでに前記取得した商品価格に基づく決済金額の算出を含む商品販売データ処理を実行する手段と、
２以上の商品コードで構成された商品コード集合と商品を広告する広告コンテンツとを対応付けて記憶する広告ファイルを検索し、前記宣言がなされるまでに前記取得した商品コードを所定数以上含む商品コード集合に対応付けられた広告コンテンツを取得する手段と、
前記取得した広告コンテンツを前記客用表示部に表示する手段と、
を備える商品販売データ処理装置。
【請求項２】
前記広告ファイルが記憶する広告コンテンツは、対応する商品コード集合に含まれない商品コードにより特定される商品を広告する、請求項１記載の商品販売データ処理装置。
【請求項３】
前記広告ファイルの検索に際して、前記宣言がなされるまでに前記取得した商品コードが、前記広告ファイルに記憶された広告コンテンツが広告する商品を特定する商品コードを含む場合には、その広告コンテンツの取得を禁止するようにした、
請求項２記載の商品販売データ処理装置。
【請求項４】
前記広告ファイルは、広告コンテンツに対応付けて当該広告コンテンツを特定するコンテンツコードをさらに記憶し、
前記広告ファイルの検索に際して、広告コンテンツと共に当該広告コンテンツに対応するコンテンツコードを取得する手段と、
顧客を識別する顧客コードの入力を許容して入力した顧客コードを取得する手段と、
現在の日時を取得する手段と、
前記宣言がなされるまでに前記取得した商品コードと、前記取得したコンテンツコードと、前記取得した顧客コードと、前記取得した日時と、を記憶する取引単位の販売履歴を作成する手段と、
同一の顧客コードを記憶する前記販売履歴が所定時間内に二つ作成されている場合、新しい方の前記販売履歴に記憶された商品コードが、古い方の前記販売履歴に記憶されたコンテンツコードが特定する広告コンテンツが広告する商品を特定する商品コードと同一であるか否かを判定する手段と、
前記判定の結果、新しい方の前記販売履歴に記憶された商品コードが、古い方の前記販売履歴に記憶されたコンテンツコードが特定する広告コンテンツが広告する商品を特定する商品コードと同一である場合には、その旨を当該新しい方の前記販売履歴に記憶させる手段と、
を備える、請求項３記載の商品販売データ処理装置。
【請求項５】
顧客コードを記憶する記憶部を有する可搬性を有する媒体の当該記憶部から顧客コードを読み取る読取装置を備え、
前記顧客コードの入力は、前記読取装置による顧客コードの読み取りによって行われる、
請求項４記載の商品販売データ処理装置。
【発明の詳細な説明】
【技術分野】
【０００１】
本発明は、客用表示部を備えた商品販売データ処理装置に関する。
【背景技術】
【０００２】
従来、販売促進のため、ＰＯＳ端末等の商品販売データ処理装置に備えられた客用表示部に広告コンテンツを表示する場合がある。客用表示部を利用することで、チェックアウトの際に顧客に対して個別に商品を広告することができる。
【０００３】
また、特許文献１には、客用表示部への表示ではなく発行するレシートへの印刷によるものではあるが、顧客が購入した商品（例えば、チーズ）に関連する商品（例えば、ワイン）についての広告コンテンツ（ＰＲ情報）を顧客に提供する技術が開示されている。
【０００４】
【特許文献１】特開２０００−２７６６６１公報
【発明の開示】
【発明が解決しようとする課題】
【０００５】
効率的な販売促進のためには、顧客が買い忘れている商品等、顧客ごとに最適な商品を広告することが重要である。その商品をすぐに購入してもらえる可能性が高くなるからである。ここで、特許文献１に記載されたような技術の場合、顧客に提供される広告コンテンツは、顧客が購入した商品の組合せ等が考慮されたものではないため、本当に顧客に最適な商品を広告できるのか疑問が残る。
【０００６】
本発明の目的は、顧客ごとに最適な商品についての広告コンテンツを提供して、効率的な販売促進を行えるようにすることである。
【課題を解決するための手段】
【０００７】
本発明の商品販売データ処理装置は、客用表示部と、商品を特定する商品コードを読み取る読取部と、を備え、前記読取部による商品コードの読み取りを許容して読み取った商品コードを取得し、商品コードと商品価格とを対応付けて記憶する商品データファイルを検索して前記取得した商品コードに対応付けられた商品価格を取得し、商品コードの取得の終了を宣言し、前記宣言がなされるまでに前記取得した商品価格に基づく決済金額の算出を含む商品販売データ処理を実行し、２以上の商品コードで構成された商品コード集合と商品を広告する広告コンテンツとを対応付けて記憶する広告ファイルを検索して前記宣言がなされるまでに前記取得した商品コードを所定数以上含む商品コード集合に対応付けられた広告コンテンツを取得し、前記取得した広告コンテンツを前記客用表示部に表示するようにした。
【発明の効果】
【０００８】
本発明によれば、客用表示部を利用して提供する広告コンテンツについて、顧客が購入した商品の組合せを考慮したものにすることができるため、その顧客に最適な商品（例えば、顧客が買い忘れている商品）を広告して、効率的な販売促進を行うことができる。
【発明を実施するための最良の形態】
【０００９】
本発明の実施の一形態を図１ないし図８に基づいて説明する。本実施の形態の商品販売データ処理装置は、ＰＯＳシステム１０１を構成するＰＯＳ端末３０１への適用例である。
【００１０】
図１は、ＰＯＳシステム１０１を示すシステム構成図である。コンビニエンスストア等の店舗に導入されたＰＯＳシステム１０１は、店舗のバックヤードに設置された上位装置としてのストアサーバ２０１と、店舗の精算場所に設置された複数台のＰＯＳ端末３０１と、を備えている。ストアサーバ２０１とＰＯＳ端末３０１とは、ＬＡＮ等の内部通信ネットワーク４０１を介して互いにデータ通信可能に接続されている。なお、ストアサーバ２０１はさらに、外部通信ネットワーク（図示せず）を介して、店舗の本部等に設置されたホストコンピュータ（図示せず）とデータ通信可能に接続されている。
【００１１】
図２は、ＰＯＳ端末３０１を示す外観斜視図である。ＰＯＳ端末３０１は、ハウジング３１１を備え、ハウジング３１１の上面には、テンキーや小計キー（いずれも図示せず）を含むキーボード３１２、キャッシャ用表示部３１３、客用表示部３１４、レシート発行口３１５が配置されている。ハウジング３１１の内部には、レシートを印字するためのプリンタ３１６（図８参照）が設けられている。プリンタ３１６は、ＰＯＳ端末３０１で実行される商品販売データ処理に伴い、取引単位でレシートを発行するものである。
【００１２】
また、ＰＯＳ端末３０１は、顧客から受領した硬貨や紙幣を保管する引出し３２２を備えるドロワ３２１の上に載置されている。引出し３２２は、決済処理時に手前側に引き出される。
【００１３】
また、ＰＯＳ端末３０１には、商品を特定する商品コードを光学的に読み取る読取部としてコードスキャナ３３１が接続されている。つまり、本実施の形態では、商品コードは、各商品（図示せず）にバーコード等のコードシンボル（図示せず）の形態で付されている。
【００１４】
また、ＰＯＳ端末３０１は、読取装置としてカードリーダライタ３４１を備えている。カードリーダライタ３４１は、カード挿入口３４１ａに挿入された会員カード３４２に対して情報の読み取り、又は書き込みを行うものである。可搬性を有する媒体である会員カード３４２は、記憶部として磁気層（図示せず）を有し、この磁気層に、顧客ごとに割り当てられて顧客を識別する顧客コードや、買物ごとに与えられる金銭的価値を有するポイント等の情報を記憶する。
【００１５】
図３は、ＰＯＳ端末３０１のハードウェア構成を示すブロック図である。ＰＯＳ端末３０１は、各種演算や各部の制御を実行するＣＰＵ３５１を有しており、ＣＰＵ３５１には、バスライン３５４を介して、固定データを固定的に格納するＲＯＭ３５２と、各種データを書き換え自在に格納してワークエリアとして機能するＲＡＭ３５３とが接続されている。
【００１６】
ＣＰＵ３５１には、バスライン３５４を介してキーボード３１２、キャッシャ用表示部３１３、客用表示部３１４、プリンタ３１６、ドロワ３２１、コードスキャナ３３１、カードリーダライタ３４１が接続されている。
【００１７】
さらに、ＣＰＵ３５１には、バスライン３５４を介して、制御プログラム、後述する各種ファイル等を格納するＨＤＤ３５５が接続されている。これらの制御プログラムや各種ファイルは、ＰＯＳ端末３０１の起動時にＲＡＭ３５３のワークエリアに展開されて使用される。各種ファイルとしては、商品データファイル３９１、履歴ファイル３９２、及び広告ファイル３６１等である。
【００１８】
また、ＣＰＵ３５１には、バスライン３５４を介して通信インターフェイス３５６が接続されている。通信インターフェイス３５６は、内部通信ネットワーク４０１（図１参照）と接続されており、これにより、ＰＯＳ端末３０１とストアサーバ２０１とは通信可能となっている。ＨＤＤ３５５に格納された商品データファイル３９１、広告ファイル３６１等は、ストアサーバ２０１によって逐次自動更新される。
【００１９】
次に、ＨＤＤ３５５が格納するファイルの一つである広告ファイル３６１について説明する。
【００２０】
図４は、広告ファイル３６１のデータ構成を示す模式図である。なお、図４中には客用表示部３１４の表示画面例も示している。広告ファイル３６１は、広告コンテンツを特定するコンテンツコードでリンクする二つのファイル３６１ａ及びファイル３６１ｂから構成されている。
【００２１】
一方のファイル３６１ａは、２以上の商品コードで構成された商品コード集合とコンテンツコードとを関連付けて記憶するファイルである。また、もう一方のファイル３６１ｂは、コンテンツコードと広告コンテンツとを関連付けて記憶するファイルである。したがって、広告ファイル３６１には、商品コード集合と広告コンテンツとを対応付けて記憶する。
【００２２】
広告ファイル３６１（ファイル３６１ｂ）が記憶する広告コンテンツは、文字や写真等を含む映像で商品を広告する動画のデータであり、また、図４に矢視するように、客用表示部３１４には広告コンテンツとしてこのデータに基づく動画が表示される。
【００２３】
また、ファイル３６１ｂは、広告コンテンツが広告する商品の商品コードを広告商品コードとして記憶している。
【００２４】
こうして、広告ファイル３６１には、商品コード集合と、コンテンツコードと、広告コンテンツと、広告商品コードとが対応付けて記憶されている。
【００２５】
広告ファイル３６１のデータ構成の詳細を見る。一例として、広告ファイル３６１には、まず、「おにぎり梅」、「ハムサンドイッチ」等の主食となり得る商品についての商品コードで構成された商品コード集合と、それらの商品についての食事に適した商品「ウーロン茶」の広告コンテンツとが対応付けて記憶されている。このとき、広告コンテンツは、客用表示部３１４の表示画面例に示すように、商品「ウーロン茶」の割引販売を告知して販売促進を図るものである。
【００２６】
また、別の一例として、広告ファイル３６１には、「はんぺん」、「ちくわ」、「焼き豆腐」等のおでんの具となり得る商品についての商品コードで構成された商品コード集合と、おでん調理に必要な商品「おでんの素」の広告コンテンツとが対応づけて記憶されている。このとき、広告コンテンツは、客用表示部３１４の表示画面例に示すように、商品「おでんの素」の買い忘れを告知するものである。
【００２７】
次に、ＰＯＳ端末３０１のＣＰＵ３５１が商品販売データ処理の実行に伴い作成する販売履歴３８１について説明する。
【００２８】
図５は、販売履歴３８１を示す模式図である。販売履歴３８１は、基本的には、コードスキャナ３３１での読み取りによって取得した商品コードを取引単位でリストアップして記憶するものである。
【００２９】
また、販売履歴３８１は、ＰＯＳ端末３０１が備える時計回路（図示せず）から取得した現在の日時を記憶する。すなわち、販売履歴３８１の作成日時を記憶する。
【００３０】
さらに、販売履歴３８１は、会員カード３４２の読み取りによって取得した顧客コードと、この販売履歴３８１が作成された取引おいて取得し客用表示部３１４に表示した広告コンテンツに対応するコンテンツコード（図４参照）と、を記憶する。
【００３１】
そして、販売履歴３８１は、商品コードに対応付けて広告購入フラグを記憶する。広告購入フラグは、対応する商品コードに係る商品が広告コンテンツの広告宣伝効果によって顧客が購入した商品であるか否かを記憶するものである。広告購入フラグの詳細については後述する（図８参照）。
【００３２】
なお、販売履歴３８１は、キーボード３１２等の操作によって入力される客層等の情報について記憶してもよい。
【００３３】
ＰＯＳ端末３０１のＣＰＵ３５１は、作成した販売履歴３８１を、ＨＤＤ３５５に格納されてＲＡＭ３５３に展開されて使用される履歴ファイル３９２に記憶させる。なお、ＣＰＵ３５１は、履歴ファイル３９２へ販売履歴３８１を記憶させたならば、その販売履歴３８１を作成した日時から所定時間（例えば、３０分間）経過後、履歴ファイル３９２から消去する処理を実行する。つまり、履歴ファイル３９２は、販売履歴３８１をその作成した日時から所定時間だけ一時的に記憶するものである。
【００３４】
そして、ＣＰＵ３５１は、履歴ファイル３９２から消去した販売履歴３８１を、通信インターフェイス３５６を介してストアサーバ２０１に向けて送信出力する。
【００３５】
ストアサーバ２０１のＣＰＵ（図示せず）は、接続された複数台のＰＯＳ端末３０１から送信出力される販売履歴３８１を逐次受信して、ストアサーバ２０１が備えるＨＤＤ（図示せず）内の記憶領域に記憶させる。ストアサーバ２０１では、ＨＤＤに格納された販売履歴３８１を自在に閲覧することができる。
【００３６】
次に、ＰＯＳ端末３０１のＣＰＵ３５１が制御プログラムに従い実行する商品販売データ処理について説明する。
【００３７】
図６は、商品販売データ処理の流れを示すフローチャートである。まず、ＰＯＳ端末３０１のＣＰＵ３５１は、カードリーダライタ３４１によって会員カード３４２が読み取られることによる顧客コードの入力を許容し、顧客コードの取得を待機している（ステップＳ１０１）。そして、顧客コードを取得したならば（ステップＳ１０１のＹ）、次に、コードスキャナ３３１による商品コードの読み取りを許容し、商品コードの取得を待機する（ステップＳ１０２）。そして、商品コードの取得があったならば（ステップＳ１０２のＹ）、取得した商品コードに基づき商品データファイル３９１を検索して、ステップＳ１０２で取得した商品コードに対応する商品情報を取得する（ステップＳ１０３）。ここで、商品データファイル３９１は、商品コードと商品価格及び商品名を含む商品情報とを対応付けて記憶するファイルである。
【００３８】
ステップＳ１０２〜Ｓ１０３の処理は、キーボード３１２に設けられた小計キーの押下（ステップＳ１０４）があるまで繰り返される。小計キーの押下によって商品コードの取得の終了が宣言されることになる。そして、小計キーの押下があったならば（ステップＳ１０４のＹ）、それまでに取得した商品情報に含まれる商品価格に基づき売上合計金額計算を実行して決済金額を算出し（ステップＳ１０５）、決済金額を仮登録するか、あるいはＨＤＤ３５５に格納されてＲＡＭ３５３に展開された売上ファイル（図示せず）に登録する。
【００３９】
そして、ＣＰＵ３５１は、小計キーが押下（ステップＳ１０４）されて商品コードの取得の終了が宣言されるまでに取得した商品コードをリストアップした取引単位の販売履歴３８１（図５参照）を作成する（ステップＳ１０６）。このとき、ＣＰＵ３５１は、ＰＯＳ端末３０１が備える時計回路（図示せず）から現在の日時を取得して、販売履歴３８１に記憶させる。
【００４０】
次に、ＣＰＵ３５１は、広告ファイル３６１を検索し、作成した販売履歴３８１にリストアップされている商品コードを所定数以上（例えば、３以上）含む商品コード集合に対応する広告コンテンツを取得する（ステップＳ１０７）。例えば、所定数が３である場合、販売履歴３８１に商品「はんぺん」の商品コードだけがリストアップされている場合には商品「おでんの素」の広告コンテンツの取得は実行しない。しかし、商品「はんぺん」の他に商品「ちくわ」、「焼き豆腐」の商品コードがリストアップされている場合には商品「おでんの素」の広告コンテンツの取得を実行することになる。
【００４１】
これによれば、顧客が購入する商品の組合せに応じて広告コンテンツが選択されるため、その顧客にとって最適な広告コンテンツを顧客に提供することができる。例えば、おでんの具となる商品（はんぺん、ちくわ等）のみを購入して商品「おでんの素」を買い忘れていると思われる顧客に対してその商品「おでんの素」を広告する広告コンテンツを提供することができる。したがって、効率的な販売促進を図ることができる。
【００４２】
また、ステップＳ１０７では、広告コンテンツと共に、取得する広告コンテンツに対応するコンテンツコードについても取得を行う。
【００４３】
ところで、ステップＳ１０７では、広告ファイル３６１の検索に際して重要な処理が実行される。
【００４４】
図７は、広告ファイル３６１を検索する際の処理の流れを示すフローチャートである。図６に示したフローチャートのステップＳ１０７での広告ファイル３６１の検索に際して、ＣＰＵ３５１は、まず、図６に示したフローチャートのステップＳ１０６で作成した販売履歴３８１にリストアップされた商品コードを所定数以上含む商品コード集合があるか否かを判定する（ステップＳ１０７ａ）。そして、判定の結果、該当する商品コード集合が記憶されている場合（ステップＳ１０７ａのＹ）、販売履歴３８１にリストアップされた商品コードが、上記該当する商品コード集合に対応する広告商品コードと同一の商品コードを含んでいるか否かを判定する（ステップＳ１０７ｂ）。判定の結果、含んでいる場合には（ステップＳ１０７ｂのＹ）、ＣＰＵ３５１は、その広告商品コードに対応する広告コンテンツの取得を禁止する（ステップＳ１０７ｃ）。つまり、販売履歴３８１に、商品「はんぺん」、「ちくわ」、「焼き豆腐」についての商品コードがリストアップされている場合であっても、商品「おでんの素」についての商品コードがリストアップされている場合には、商品「おでんの素」を広告する広告コンテンツの取得は実行しないことになる。
【００４５】
これによれば、広告コンテンツが広告する商品を現に買っている顧客に対して、その商品についての広告を行ってしまうことを回避することができる。つまり、例えば商品「おでんの素」を購入している顧客には、その商品「おでんの素」の広告コンテンツは提供しないようにすることができる。そして、ＣＰＵ３５１は、このような場合には、予め定められた（おでんの素以外の）所定の商品を広告する広告コンテンツを取得して、客用表示部３１４に表示する。
【００４６】
なお、検索に際して該当する商品コード集合が無い場合についても、同様に、予め定められた所定の広告コンテンツを取得して、客用表示部３１４に表示する。
【００４７】
図６のフローチャートに戻る。ＣＰＵ３５１は、次に、ステップＳ１０６で作成した販売履歴３８１に、ステップＳ１０１で取得した顧客コードと、ステップＳ１０７で取得したコンテンツコードとを記憶させ（ステップＳ１０８）、販売履歴３８１を履歴ファイル３９２に記憶させる。
【００４８】
そして、ＣＰＵ３５１は、ステップＳ１０７で取得した広告コンテンツを客用表示部３１４に表示し（ステップＳ１０９）、決済処理を実行して（ステップＳ１１０）、処理を終了する。決済処理では、算出した決済金額についての決済が行われ、ドロワ３２１による引出し３２２の開放、プリンタ３１６によるレシート発行等がなされる。
【００４９】
なお、ステップＳ１０９で客用表示部３１４に表示された広告コンテンツについては、次の取引開始（例えば、その取引における顧客コードの取得、または、最初の商品コードの取得等による）があるまで、客用表示部３１４に表示され続けるようにしてもよい。
【００５０】
次に、販売履歴３８１が記憶する広告購入フラグについて、図８に基づき説明する。
【００５１】
図８は、履歴ファイル３９２のデータ構成を示す模式図である。図８に示す履歴ファイル３９２は、同一の顧客コードを記憶する二つの販売履歴３８１が記憶されている。つまり、二つの販売履歴３８１は、同一の顧客に対する取引において作成されたものである。そして、日時から、図８中右側に示す販売履歴３８１の方が、図８中左側に示す販売履歴３８１よりも新しく作成されている。
【００５２】
ＰＯＳ端末３０１のＣＰＵ３５１は、前述したように、作成した販売履歴３８１を履歴ファイル３９２に記憶させる。そして、ＣＰＵ３５１は、決済処理が終了したならば、履歴ファイル３９２に記憶させた図８中右側に示す最新の販売履歴３８１が記憶する顧客コードに基づき履歴ファイル３９２を検索する。そして、過去に同一の顧客コードが記憶された販売履歴３８１が作成されている否かを判定する。このとき、履歴ファイル３９２には、前述したように、作成してから所定時間内の販売履歴３８１のみが記憶されている。したがって、検索の対象となる販売履歴３８１は、作成されてから所定時間（例えば、３０分間）内の販売履歴３８１に限られることになる。つまり、この検索では、同一の顧客コードを記憶する販売履歴３８１が所定時間内に二つ（そのうち一つは図８中右側に示す最新の販売履歴３８１）作成されているか否かが判定されることになる。
【００５３】
そして、履歴ファイル３９２を検索した結果、図８に示すように、同一の顧客コードが記憶された二つの販売履歴３８１が作成されている場合には、ＣＰＵ３５１は、次に、図８中右側に示す新しい方の販売履歴３８１に記憶された商品「おでんの素」についての商品コードが、図８中左側に示す古い方の販売履歴３８１に記憶されたコンテンツコード（「０００２」）が特定する広告コンテンツが広告する商品を特定する商品コードと同一であるか否かを判定する。
【００５４】
なお、履歴ファイル３９２を検索した結果、同一の顧客コードが記憶された販売履歴３８１が所定時間内に三つ以上作成されている場合には、最新の販売履歴３８１に対して古い販売履歴３８１について一つずつ判定を行うようにする。
【００５５】
ここで、判定は、図４に示した広告ファイル３６１を構成するファイル３６１ｂを参照して行われる。つまり、判定に際して、ＣＰＵ３５１は、まず、ファイル３６１ｂを検索して、図８中左側に示す古い方の販売履歴３８１に記憶されたコンテンツコード（「０００２」）に対応する商品「おでんの素」についての広告商品コードを取得する。そして、この取得した広告商品コードと図８中右側に示す新しい方の販売履歴３８１に記憶された商品コードとが同一であるか否かを判定することにより、上記判定を行う。
【００５６】
なお、図８中右側に示す新しい方の販売履歴３８１にリストアップされている商品コードが複数ある場合には、その複数の商品コード一つずつについて判定を行うようにする。
【００５７】
そして、判定の結果、図８中右側に示す新しい方の販売履歴３８１に記憶された商品コードが、図８中左側に示す古い方の販売履歴３８１に記憶されたコンテンツコード（「０００２」）が特定する広告コンテンツが広告する商品「おでんの素」を特定する商品コードと同一である場合には、その商品「おでんの素」についての商品コードに対応する広告購入フラグを「１」とする。一方、含まないと判定した場合には、広告購入フラグを「０」とする。
【００５８】
広告購入フラグを「１」とすることにより、図８中右側に示す新しい方の販売履歴３８１に記憶された商品コード（おでんの素）が図８中左側に示す古い方の販売履歴３８１に記憶されたコンテンツコードが特定する広告コンテンツが広告する商品（おでんの素）を特定する商品コードと同一であるとする旨が図８中右側に示す新しい方の販売履歴３８１に記憶されたことになる。
【００５９】
そして、販売履歴３８１は、前述したように、作成されてから所定時間が経過した後に履歴ファイル３９２から消去され、ストアサーバ２０１に送信出力されて、ストアサーバ２０１が備えるＨＤＤに格納される。ストアサーバ２０１においては、ＨＤＤに格納された販売履歴３８１を閲覧することが可能となっている。このとき、「１」である広告購入フラグに対応する商品（例えば、おでんの素）については、顧客に最適な広告コンテンツを提供したことによって購入された商品であることがわかり、広告コンテンツの広告宣伝効果の有無を簡便に知ることができる。このとき、顧客が購入し忘れ易い商品についての情報も得ることができる。
【図面の簡単な説明】
【００６０】
【図１】ＰＯＳシステムを示すシステム構成図である。
【図２】ＰＯＳ端末を示す外観斜視図である。
【図３】ＰＯＳ端末のハードウェア構成を示すブロック図である。
【図４】広告ファイルのデータ構成を示す模式図である。
【図５】販売履歴を示す模式図である。
【図６】商品販売データ処理の流れを示すフローチャートである。
【図７】広告ファイルを検索する際の処理の流れを示すフローチャートである。
【図８】履歴ファイルのデータ構成を示す模式図である。
【符号の説明】
【００６１】
２０１…ストアサーバ（上位装置）、３０１…ＰＯＳ端末（商品販売データ処理装置）、３１４…客用表示部、３３１…コードスキャナ（読取部）、３４１…カードリーダライタ（読取装置）、３４２…会員カード（可搬性を有する媒体）、３６１…広告ファイル、３８１…販売履歴、３９１…商品データファイル
【図１】
2008065625.tif 000003
【図２】
2008065625.tif 000004
【図３】
2008065625.tif 000005
【図４】
2008065625.tif 000006
【図５】
2008065625.tif 000007
【図６】
2008065625.tif 000008
【図７】
2008065625.tif 000009
【図８】
2008065625.tif 000010